(57)【特許請求の範囲】
【請求項１】
前側に画像表示面を有する表示部と、該表示部の後側を覆うキャビネットと、該キャビネットの後面部にその上部が対向し、前記表示部を起立状態で支持するスタンドとを備えた表示装置において、前記キャビネットは、前記スタンドの上部に対向する位置の前記後面部から下縁に亘って開放された凹所を有するキャビネット本体と、前記凹所に分離可能に配され、該凹所を塞ぐ塞体とを備え、該塞体の後側に前記上部を配してあり、該上部が前記キャビネット本体の後側へ露出していることを特徴とする表示装置。
【請求項２】
前記キャビネット本体は前記塞体を取外し可能に結合してある請求項１記載の表示装置。
【請求項３】
前記表示部は前記凹所に配されるリブを有し、前記塞体は前記リブが嵌入される孔を有し、前記スタンドは前記リブに螺子により取着してある請求項１又は２記載の表示装置。
【発明の詳細な説明】
【技術分野】
【０００１】
本発明は液晶表示装置、プラズマ表示装置等の表示装置に関する。
【背景技術】
【０００２】
テレビ等の表示装置は、前側に画像表示面を有し、後側にバックライト、電源基板等の電気部品を有する表示部と、該表示部の前側周縁部を取囲むフロントキャビネットと、表示部の後側を覆うバックキャビネットと、該バックキャビネットの後側から前記表示部を起立状態で支持したスタンドとを備えている（例えば、特許文献１参照）。
【特許文献１】特開２００５−１３４５９１号公報
【発明の開示】
【発明が解決しようとする課題】
【０００３】
ところで、特許文献１のように表示部の後側をバックキャビネットが覆った後、スタンドが表示部に取着される表示装置にあっては、表示部の後側に配置された電源基板、回路基板等の電気部品を修理するとき、スタンドを取外した後バックキャビネットを表示部から取外し、電気部品を外部に露出させることになる。しかしながら、スタンドを取外すと、表示部を起立状態で支持することができないため、表示部を載置台上に転倒させた後、スタンドを取外し、バックキャビネットを取外すことになる。従って、表示装置が比較的大形である場合、一人の作業者では対応することができず、複数の作業者により表示装置を転倒／起立させる必要があり、改善策が要望されていた。
【０００４】
本発明は斯かる事情に鑑みてなされたものであり、主たる目的は表示部の後側を覆うキャビネットを、周縁の下部に凹所を有するキャビネット本体と、前記凹所に分離可能に配し、該凹所を塞ぐ塞体とを備える構成とし、スタンドを前記塞体の外側に配することにより、表示部の後側に配された電気部品等の修理を、スタンドによる表示部の起立状態を維持した状態で行うことができる表示装置を提供することにある。
【０００５】
また、他の目的は塞体をキャビネット本体に取外し可能に結合することにより、キャビネットを一つの部品として取り扱うことができる表示装置を提供することにある。
【０００６】
また、他の目的は凹所に配されるリブを表示部に設け、該リブが嵌入される孔を塞体に設け、スタンドを前記リブに螺子により取着することにより、塞体及びスタンドを正確な位置に容易に取着することができる表示装置を提供することにある。
【課題を解決するための手段】
【０００７】
本発明に係る表示装置は、前側に画像表示面を有する表示部と、該表示部の後側を覆うキャビネットと、該キャビネットの後面部にその上部が対向し、前記表示部を起立状態で支持するスタンドとを備えた表示装置において、前記キャビネットは、前記スタンドの上部に対向する位置の前記後面部から下縁に亘って開放された凹所を有するキャビネット本体と、前記凹所に分離可能に配され、該凹所を塞ぐ塞体とを備え、該塞体の後側に前記上部を配してあり、該上部が前記キャビネット本体の後側へ露出していることを特徴とする。
【０００８】
この発明にあっては、キャビネット本体の凹所に塞体が分離可能に配され、該塞体の外側にスタンドを配してあるため、塞体及びスタンドを取外すことなく、キャビネット本体を表示部から取外すことができる。従って、表示部の後側を覆うキャビネットを取外し、表示部の後側に配された電気部品等を修理するとき、表示部を転倒させることなく、スタンドによる表示部の起立状態を維持した状態でキャビネット本体を取外すことができ、一人の作業者で電気部品等を修理することができる。
【０００９】
また、本発明に係る表示装置は、キャビネット本体は塞体を取外し可能に結合してあることを特徴とする。
【００１０】
この発明にあっては、塞体がキャビネット本体と一体であるため、キャビネットを一つの部品として取り扱うことができ、キャビネットの搬送、管理が行い易く、また、組立て作業性を向上できる。
【００１１】
また、本発明に係る表示装置は、表示部は凹所に配されるリブを有し、塞体は前記リブが嵌入される孔を有し、スタンドは前記リブに螺子により取着してあることを特徴とする。
【００１２】
この発明にあっては、塞体及びスタンドの凹所内での位置をリブにより決めることができるため、塞体及びスタンドを正確な位置に容易に取着することができ、組立て作業性をより一層向上できる。
【発明の効果】
【００１３】
以上詳述したように本発明によれば、表示部の後側を覆うキャビネットを取外し、表示部の後側に配された電気部品等を修理するとき、表示部を転倒させることなく、スタンドによる表示部の起立状態を維持した状態でキャビネット本体を取外すことができ、一人の作業者で電気部品等を修理することができる。
【００１４】
また、本発明によれば、キャビネット本体及び塞体を備えるキャビネットを一つの部品として取り扱うことができ、キャビネットの搬送、管理が行い易く、また、組立て作業性を向上できる。
【００１５】
また、本発明によれば、塞体及びスタンドを正確な位置に容易に取着することができ、組立て作業性をより一層向上できる。
【発明を実施するための最良の形態】
【００１６】
以下本発明をその実施の形態を示す図面に基づいて詳述する。図１は本発明に係る表示装置の構成を示す背面側の斜視図、図２は分解した背面側の斜視図、図３は要部の拡大斜視図、図４は要部の分割した拡大斜視図である。
【００１７】
図示した表示装置はテレビ画像を表示し、略直方体をなす表示部１と、該表示部１の前側周縁部を取囲むフロントキャビネット２と、表示部１の後側を覆うバックキャビネット３と、該バックキャビネット３の後側から表示部１を起立状態で支持したスタンド４とを備える液晶テレビである。
【００１８】
表示部１は前側に画像表示面を有する液晶のパネルと、該パネルの後側に配置された光学シートと、拡散板と、複数の蛍光管を有するバックライト部と、前記蛍光管の両端に設けられた電極に接続されるインバータ回路基板、電源基板、操作基板等の複数の電気部品１１と、該電気部品１１，前記パネル及びバックライト部を支持した支持体１２とを備えており、支持体１２の外縁部に複数の螺子孔が設けられている。また、支持体１２の下部には二つのスピーカ１３，１３が取着されており、さらにスピーカ１３，１３の間にスタンド用及び後記する塞体用の螺子孔が設けられている。支持体１２の中央部はスタンド４を取着するための金属板製の支柱１２ａが固定されており、該支柱１２ａに、螺子孔を有し且つ後記する凹所に配される四つのリブ１２ｂが突設されている。
【００１９】
スタンド４は載置台等に載置されるベース部４１及び該ベース部４１の中央に立設された脚部４２を有し、該脚部４２の上端に第１の固定板４３が設けられており、該固定板４３に、リブ１２ｂが嵌入される第１の孔４３ａが設けられている。
【００２０】
バックキャビネット３は電気部品１１等を覆う皿形覆部３ａと、該皿形覆部３ａの両側縁及び上縁に連なるフランジ部３ｂを有しており、該フランジ部３ｂに複数の第２の孔３ｃが設けられている。また、バックキャビネット３は周縁の下部に凹所３１を有するキャビネット本体３２と、凹所３１に分離可能に配され、該凹所３１を塞ぐ塞体３３とに分割されており、塞体３３をキャビネット本体３２に取外しを可能に結合してある。
【００２１】
凹所３１は、下方に開放された狭幅部３１ａと、該狭幅部３１ａの上縁に連なる広幅部３１ｂとにより略Ｔ字形をなしており、キャビネット本体３２の狭幅部３１ａの両側部に、塞体３３を結合するための第３の孔３２ａが設けられている。
【００２２】
塞体３３は、脚部４２が挿嵌される溝を有する嵌合凹部３３ａと、該嵌合凹部３３ａの両側縁に突設され、第３の孔３２ａに対応する螺子孔３３ｂを有する二つの結合片３３ｃと、嵌合凹部３３ａの一端に連なり、第１の固定板４３に対向する第２の固定板３３ｄとを備え、第１の孔４３ａに対応する第４の孔３３ｅが第２の固定板３３ｄに設けられており、また、嵌合凹部３３ａの底部に第５の孔３３ｆが設けられている。第４の孔３３ｅにはリブ１２ｂが嵌入されている。
【００２３】
また、塞体３３はキャビネット本体３２の内側から凹所３１に挿入配置し、二つの結合片３３ｃをキャビネット本体３２の狭幅部３１ａの両側部内側に対向させ、第３の孔３２ａに挿通する小螺子５を螺子孔３３ｂに緊締することにより塞体３３をキャビネット本体３２の内側に結合してある。
【００２４】
以上のように構成された表示装置を組立てる場合、載置台等に画像表示面が下向きとなるように載置された表示部１の後側にバックキャビネット３を挿嵌し、該バックキャビネット３のフランジ部３ｂに設けられた第２の孔３ｃに小螺子を挿通し、該小螺子を支持体１２の螺子孔に緊締することによりキャビネット本体３２を表示部１に取着する。また、塞体３３の第４の孔３３ｅにリブ１２ｂを嵌入するとともに、第５の孔３３ｆに小螺子を挿通し、該小螺子を支持体１２の螺子孔に緊締することにより塞体３３を表示部１に取着する。そして、スタンド４の脚部４２を塞体３３の嵌合凹部３３ａに嵌込み、第１の固定板４３を第２の固定板３３ｄに対向させ、第１の孔４３ａにリブ１２ｂを嵌入し、該リブ１２ｂの螺子孔に小螺子６を緊締することによりスタンド４及び塞体３３の一部を表示部１に取着する。この後、表示部１を起立させ、この起立状態をスタンド４により維持する。
【００２５】
また、表示部１の後側に設けられた電気部品１１等を修理するとき、キャビネット本体３２を取着している小螺子と、塞体３３を結合している小螺子５とを弛緩することによりキャビネット本体３２を取外すことができる。このとき、塞体３３は第５の孔３３ｆに挿通された小螺子により表示部１に固定され、スタンド４は塞体３３の外側に配され、凹所３１内で表示部１に小螺子６により固定されているため、スタンド４を取外すことなく、換言すれば表示部１を転倒させることなくキャビネット本体３２を取外すことができる。従って、表示部１の起立状態を維持した状態で電気部品１１等を一人の作業者により修理することができ、作業能率を向上できる。
【００２６】
尚、以上説明した実施の形態では塞体３３をキャビネット本体３２に予め結合したが、その他、予め結合することなく、スタンド４を表示部１に取着するとき、該スタンド４とともに塞体３３を表示部１に取着するように構成してもよいし、また、塞体３３を予めスタンド４に結合した構成としてもよい。
【００２７】
また、本発明に係る表示装置は液晶テレビ等の液晶表示装置である他、プラズマ表示装置、ＥＬディスプレィ等の表示装置であってもよい。
【図面の簡単な説明】
【００２８】
【図１】本発明に係る表示装置の構成を示す背面側の斜視図である。
【図２】本発明に係る表示装置の分解した背面側の斜視図である。
【図３】本発明に係る表示装置の要部の拡大斜視図である。
【図４】本発明に係る表示装置の要部の分割した拡大斜視図である。
【符号の説明】
【００２９】
１    表示部
１２ｂ  リブ
３    バックキャビネット（キャビネット）
３１  凹所
３２  キャビネット本体
３３  塞体
３３ｅ  孔
４    スタンド
【図１】
0004776327.tif 000002
【図２】
0004776327.tif 000003
【図３】
0004776327.tif 000004
【図４】
0004776327.tif 000005